Podtech/llm-jp-corpus-v4-ja_patent huggingface dataset:
(57)【要約】【課題】コネクタの安全性、安定性及び転送レートなどの性能を向上させる車両用イーサネット（登録商標）コネクタを提供する。【解決手段】車両用イーサネット（登録商標）コネクタは、カバー１と、端子２と、シールド部材３と、ＥＳＤカバー４と、を備える。カバー１は、中空状を呈する。端子２は、カバー１の底部に差し込まれている。シールド部材３は、カバー１の裏壁に差し込まれている。ＥＳＤカバー４は、カバー１の外周に嵌まる。カバー１の内部に、複数のピン状体を備えるＵ型防護部材が設けられている。複数のピン状体は、並列するように端子２の外周に設けられており、横断面の形状がＵ字形を呈する。【選択図】図１
0003220239.tif 000002
【実用新案登録請求の範囲】
【請求項１】
中空状を呈するカバーと、
前記カバーの底部に差し込まれている端子と、
前記カバーの裏壁に差し込まれているシールド部材と、
前記カバーに嵌まるＥＳＤカバーと、
を備え、前記ＥＳＤカバーによって外周が覆われる車両用イーサネット（登録商標）コネクタであって、
前記カバーの内部に、複数のピン状体を備えるＵ型防護部材が設けられており、
複数の前記ピン状体は、並列するように前記端子の外周に設けられており、横断面の形状がＵ字形を呈することを特徴とする車両用イーサネット（登録商標）コネクタ。
【請求項２】
前記シールド部材は、前記ピン状体に差し込まれていることを特徴とする、請求項１に記載の車両用イーサネット（登録商標）コネクタ。
【請求項３】
前記Ｕ型防護部材の前記ピン状体は、プラスチックで作製されることを特徴とする、請求項１に記載の車両用イーサネット（登録商標）コネクタ。
【考案の詳細な説明】
【技術分野】
【０００１】
本考案は、コネクタに関し、特に、車両用イーサネット（登録商標）コネクタに関するものである。
【背景技術】
【０００２】
イーサネット（登録商標）は、現在の地域ネットワークのうちに、最も広汎に利用されている通信プロトコル標準であって、技術が成熟しており、高度に標準化され、帯域幅が広く、コストが低いなどの利点を有する。車両用電子システムの精密化に従って、車両は、自動運転、ビデオカメラ及びエンターテインメントシステムなどの機能を有し、そして車両用イーサネット（登録商標）もこれらの機能と融合されることが可能になる。
【０００３】
車両用イーサネット（登録商標）において、様々な計算ユニットは異なるドメイン間で互いに通信するニーズが高まり、車両用の電子システムも複雑になる。それによって、車両用イーサネット（登録商標）コネクタの安全性、安定性及び転送レートなどのスペックを向上させることが求められている。
【考案の概要】
【考案が解決しようとする課題】
【０００４】
本考案の主な目的は、コネクタの構造を改良し、安全性を高め、安定性や転送レートなどの性能を向上させる車両用イーサネット（登録商標）コネクタを提供することにある。
【課題を解決するための手段】
【０００５】
本考案の車両用イーサネット（登録商標）コネクタは、中空状を呈するカバーと、カバーの底部に差し込まれている端子と、カバーの裏壁に差し込まれているシールド部材と、カバーに嵌まるＥＳＤカバーと、を備え、ＥＳＤカバーによって外周が覆われる。
カバーの内部に、複数のピン状体を備えるＵ型防護部材が設けられており、複数のピン状体は、並列するように端子の外周に設けられており、横断面の形状がＵ字形を呈することを特徴とする。
【０００６】
本考案の車両用イーサネット（登録商標）コネクタによると、シールド部材は、ピン状体に差し込まれていることを特徴とする。
【０００７】
本考案の車両用イーサネット（登録商標）コネクタによると、Ｕ型防護部材のピン状体は、プラスチックで作製されることを特徴とする。
【考案の効果】
【０００８】
本考案の車両用イーサネット（登録商標）コネクタによれば、次のような効果がある。
（１）複数のピン状体から構成されるＵ型防護部材を採用するため、端子が遮蔽され、意外な接触を防止することができ、コネクタの安定性及び安全性が高められる。
【０００９】
（２）シールド部材は、ピン状体に差し込まれ、こうして端子が効果的に遮蔽される。
【００１０】
（３）Ｕ型防護部材は、プラスチックを採用する。これにより、防塵、防水、絶縁及び意外な原因で接触されることを防止する機能を持つ。
【図面の簡単な説明】
【００１１】
【図１】本考案に係る車両用イーサネット（登録商標）コネクタを示す分解斜視図である。
【図２】本考案に係るＵ型防護部材を示す図である。
【考案を実施するための形態】
【００１２】
以下、本考案の実施形態を図面に基づいて説明する。
【００１３】
本考案に係る車両用イーサネット（登録商標）コネクタは、図１に示すように、カバー１と、端子２と、シールド部材３と、ＥＳＤカバー４と、を備える。カバー１は中空状を呈する。端子２は、カバー１の底部に差し込まれている。シールド部材３は、カバー１の裏壁に差し込まれている。ＥＳＤカバー４は、カバー１の外周に嵌まる。
カバー１は、図２に示すように、Ｕ型防護部材１１を備える。Ｕ型防護部材１１は、カバー１の内部に設けられており、複数のピン状体を備える。これら複数の前記ピン状体は、並列するように端子２の外周に設けられており、横断面の形状がＵ字形を呈する。シールド部材３はピン状体に差し込まれている。
【００１４】
Ｕ型防護部材１１の前記ピン状体は、プラスチックで作製される。
【００１５】
前述した本考案の実施形態は、説明するためのものであり、本考案を限定するものではない。本考案の要旨及び実用新案登録請求の範囲を逸脱することなく、ここで開示された実施例により変更、追加、又は削除して施すことができる。よって、本考案により保護される範囲は実用新案登録請求の範囲を基準とする。
【符号の説明】
【００１６】
１  カバー
２  端子
３  シールド部材
４  ＥＳＤカバー
１１  Ｕ型防護部材
【図１】
0003220239.tif 000003
【図２】
0003220239.tif 000004
(57)【要約】      （修正有）【課題】風合いを持った木や竹素材に対して精密な機械加工が施された高品位の建築用意匠部材や扉の引手具を提供する。【解決手段】木製もしくは竹製等の素材に対して、デザインの原案図もしくは原案に相当する電子化データからの制御信号により動作し、電子制御方式で精密に制御される加工機械を用いて、機械加工を施す。【選択図】図２
0003220288.tif 000002
【実用新案登録請求の範囲】
【請求項１】
図案データからによる制御信号を用いて動作する電子制御方式の加工機械によって、当該図案データを模写した形状の貫通孔を設けた建築用意匠部材。
【請求項２】
請求項１に記載の建築用意匠部材を備え、かつ建築物、住宅、家具等の扉に配置された引手具。
【請求項３】
請求項１に記載の建築用意匠部材を、他の建築用部材を任意の隙間を設けて平行に配置した引手具。
【請求項４】
請求項１に記載の建築用意匠部材を、他の建築用部材に重ねて配置した引手用具。
【考案の詳細な説明】
【技術分野】
【０００１】  本考案は、住宅等の建築部材に関わり、素材の持つ風合いを生かしつつデザイン性にも優れた意匠部材および扉の引手具を提供するものである。
【背景技術】
【０００２】  今まで、建築用部材の取手などは金属製であることが多く、またその修飾には彫金やメッキなどが施されることが多かった。また近年プラスチック製の取手などが大量に生産されるようになったが、この場合は鋳型成型や塗装などで装飾する。しかし、素材の持つ風合いなどを考慮する観点から木製品を望む声もあったが、その場合はデザイン、装飾的意匠の面で自由度が低かった。
【考案の概要】
【考案が解決しようとする課題】
【０００３】  本考案では、素材の持った風合いを生かす加工法や、元となる図案の精密な複写を加工物上に反映させることを課題としている。
【課題を解決するための手段】
【０００４】  本考案では、課題を解決するために、木製、竹製などの素材を、電子制御による精密加工によって、元の図案データに基づく意匠の加工を施すことを特徴としている。この時元の図案は数値データの場合もあるが、図像としてのデータを電子的に読み取りいったんデータ化して、精密加工の時の制御信号として用いる場合も含む。またその精密加工はＮＣ旋盤やレーザー加工、ワイヤーカット放電加工法などであり、主には板材の貫通孔加工であるが、必ずしも貫通しなければならないわけではない。
また、素材としては木製、竹製を主とするが、製品の要求する素材感に従って、プラスチック素材、金属素材、紙素材、皮革素材、布の素材、である場合も含む。
【考案の効果】
【０００５】  本実用新案では、風合いを持った木や竹などを用い、旧来では実現できなかった緻密な装飾加工を施すことで、デザイン性の向上や意匠的価値の付加を行い、また風合いを持った木や竹などを使っているために豊かな手触りの質感を持ったより満足感の高い商品をユーザーに届けることができる。
上述のような効果を付与されたものとして建築用意匠部材を提供し、またその建築用意匠部材を具備された引手具を提供する。当該引手具において、建築用意匠部材は引手具底面に配置される。また引手具底面の装飾的効果を高めるために、別の引手具底面の上部に意匠部材が配置されることも効果的である。またさらに装飾性を高めるために、引手具底面と建築用意匠部材の間に間隙を設け、陰影の効果などを高めるとより一層引手具の提供する意匠価値は上がる。
【図面の簡単な説明】
【０００６】
【図１】本考案の建築用意匠部材の概観図である。
【図２】本考案の建築用意匠部材を用いて構成された引手具の概観図である。
【図３】本引手具の断面図である。
【図４】本引手具の別の断面図である。
【考案を実施するための形態】
【０００７】  本考案では、素材の持った風合いを生かす加工法や、元となる図案の精密な複写を反映させるために、木製、竹製などの素材を、電子制御による精密加工によって、元の図案データに基づく意匠の加工を施すことを特徴としている。この時元の図案は数値データの場合もあるが、図像としてのデータを電子的に読み取りいったんデータ化して、精密加工の時の制御信号として用いる場合も含む。またその精密加工はＮＣ旋盤やレーザー加工、ワイヤーカット放電加工法などであり、主には板材の貫通孔加工であるが、必ずしも貫通しなければならないわけではない。このような加工法を施された建築用意匠部材および引手具は、職人などの手によらずに容易に大量生産できる特徴も有することになる。
また、素材としては木製、竹製を主とするが、製品の要求する素材感に従って、プラスチック素材、金属素材、紙素材、皮革素材、布の素材、である場合も含む。
上述のように加工された建築用意匠部材をそのまま、意匠として用いる場合もあるが、この建築用意匠部材を底板として、扉の引手具を構成することで、旧来にない意匠が施された引手具を提供することができる。
【符合の説明】
【０００８】      １  木製等の板素材
２  貫通孔
３  引手具のつば部
４  引手具の底面
５  間隙
１０  建築用意匠素材
１１  引手具
１２  引手具断面図１
１３  引手具断面図２
【図１】
0003220288.tif 000003
【図２】
0003220288.tif 000004
【図３】
0003220288.tif 000005
【図４】
0003220288.tif 000006
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項３】
請求項１に記載の建築用意匠部材を、他の任意の建築用部材との間に任意の隙間を設けて平行に配置した引手具。
【請求項４】
請求項１に記載の建築用意匠部材を、他の任意の建築用部材に重ねて配置した引手具。
【手続補正書】
【提出日】平成30年11月30日(2018.11.30)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
図案データからによる制御信号を用いて動作する電子制御方式の加工機械によって、当該図案データを模写した形状の貫通孔を設けた建築用意匠部材。
【請求項２】
請求項１に記載の建築用意匠部材を備え  かつ建築物、住宅、家具等の扉に配置された引手具。
【請求項３】
請求項１に記載の建築用意匠部材を  他の任意の建築用部材との間に任意の隙間を設けて平行に配置した引手具。
【請求項４】
請求項１に記載の建築用意匠部材を  他の任意の建築用部材に重ねて配置した引手用具。
(57)【要約】      （修正有）【課題】悪臭、虫、排気ガスを発生させずに発電する発電装置を提供する。【解決手段】本考案の発電装置は、ダンボールコンポストの本体のダンボール１０の外側に熱電変換素子２０ａ，２０ｂ，２０ｃ，２０ｄ，２０ｅ，２０ｆを接着させて発電させる。【選択図】図２
0003220653.tif 000002
【実用新案登録請求の範囲】
【請求項１】
ダンボールコンポストに、ダンボールコンポストが発生する熱を電気に変換する熱電変換素子を接着させ、熱電変換素子によって発電した電気をバッテリーに給電するよう電気的に接続したことを特徴とする発電装置。
【考案の詳細な説明】
【技術分野】
【０００１】  本考案はダンボールコンポストと熱電変換素子を用いた発電装置である。
【背景技術】
【０００２】  従来のバイオマス発電はガスを発生させて燃焼させる小規模火力発電で、悪臭の発生、虫の発生、並びに燃焼の際生じる排気ガスが問題になっていた。
【先行技術文献】
【特許文献】
【０００３】
【特許文献１】特許第５４６７１６９号
【考案の概要】
【考案が解決しようとする課題】
【０００４】  従来のバイオマス発電は動物の糞を集め、発酵させ、ガスを発生させて燃焼させる小規模火力発電であった。しかしながら、発酵させるため悪臭が漂い、虫が発生し、広い場所を必要とする欠点を有していた。
【課題を解決するための手段】
【０００５】  本考案は、ダンボールコンポストと熱電変換素子を組み合わせることで、悪臭、虫の発生、燃焼の際生じる排気ガスを発生させないで発電させる装置である。【０００６】  本考案は、ダンボールに腐葉土またはピートモスと燻炭を混ぜたもの（基材）に残菜を入れたものが発する熱を熱電変換素子により電気に変換し、これをバッテリーに給電する発電装置に関するものである。【０００７】  本考案は前記従来の欠点に鑑み、設置場所をとらず、悪臭を放たず、火を使用しないので排気ガスを出すこともなく、残菜をもとに発電するためごみの軽量化をはかりながら発電する装置を提供しようとするものである。
【考案の効果】
【０００８】  以上説明した如く本考案はダンボールコンポストに残菜を入れてダンボールコンポスト内の温度を上げることによりその熱を電気に変換する熱電変換素子を取り付け、該熱電変換素子によって発電された電気をバッテリーに給電するよう電気的に接続したので、バッテリーに電気が充分に充電されることは勿論のこと残菜を利用することでごみの減量化がはかられるという利点を有する。また該発電は熱電変換素子によってのみ発電をするから、発電機等の機器を必要とせず機械的故障もほとんどない。
【図面の簡単な説明】
【０００９】
【図１】本考案の実例を示す正面図である。
【図２】本考案の実例を示す上部から見た図である。
【考案を実施するための形態】
【００１０】  以下、本考案の実施例を第１図、および第２図に基づいて説明する。第１図及び第２図は本考案の１事例を示すもので１０は発熱体であるダンボールコンポスト、２０はダンボールコンポストの熱を電気に変換する６個（２０ａ，２０ｂ，２０ｃ，２０ｄ，２０ｅ，２０ｆ）の熱電変換素子、３０はバッテリーである。
【００１１】  前記熱電変換素子２０ａ乃至２０ｆは公知の物で第２図に示すようにＰ型半導体２１とＮ型半導体２２よりなる半導体素子対を電気的には直列に熱的には並列に金属板２３、２４で接合し該金属板２３，２４の一側面にセラミック板等の電気絶縁板２５、２６を取り付けてなるもので該電気絶縁板２５の一側面に前記ダンボールコンポストの外側面に接着されている。
【００１２】  また、熱電変換素子２０ａ乃至２０ｆは、熱電変換素子２０ａの−側に位置するＮ型半導体２２の金属板２３と熱電変換素子２０ｂの＋側に位置するＰ型半導体２１の金属板２４を、熱電変換素子２０ｂの他側に位置するＮ型半導体２２の金属板２３と熱電変換素子２０ｃの＋側に位置するＰ型半導体２１の金属板２４を、熱電変換素子２０ｃの他側に位置するＮ型半導体２２の金属板２３と熱電変換素子２０ｄの＋側に位置するＰ型半導体２１の金属板２４を、熱電変換素子２０ｄの他側に位置するＮ型半導体２２の金属板２３と熱電変換素子２０ｅの＋側に位置するＰ型半導体２１の金属板２４を、熱電変換素子２０ｅの他側に位置するＮ型半導体２２の金属板２３と熱電変換素子２０ｆの＋側に位置するＰ型半導体２１の金属板２４をそれぞれ結線している。更に、熱電変換素子２０ａの他側に位置するＰ型半導体２１の金属板２４はバッテリー３０の正極の端子３０ａと結線し、また、熱電変換素子２０ｆの他側に位置するＮ型半導体２２の金属板２３はバッテリー３０の負極の端子３０ｂに結線している。
【００１３】  本考案は、前述の如く構成されているので、ダンボールコンポスト１０に残菜を入れると、該ダンボールコンポスト１０が発熱し前記熱電変換素子２０ａ乃至２０ｆの電気絶縁板２６は、外気により冷却されることとなるので、各熱電変換素子２０ａ乃至２０ｆにＰ型半導体２１を正極とＮ型半導体２２を負極とする直流電流が流れる。そして該電流はバッテリー３０に流され充電される。
【００１４】  また、前記熱電変換素子２０をダンボールコンポスト１０に密着し、前記バッテリー３０と結線するだけでバッテリー３０に電気が充電されることとなるので、機械的故障もない。
【符号の説明】
【００１５】１０  発熱体（ダンボールコンポスト）
２０  ダンボールコンポストの熱を電気に変換する６個の熱電変換素子
２１  Ｐ型半導体
２２  Ｎ型半導体
２３  Ｎ型半導体側の金属板
２４  Ｐ型半導体側の金属板
２５  ダンボールコンポストに接触している電気絶縁体
３０  バッテリー
【図１】
0003220653.tif 000003
【図２】
0003220653.tif 000004
(57)【要約】      （修正有）【課題】人目に触れやすい方に、表面と裏面のどちらの面が向いても、見映えに遜色がない千歳飴用包装袋を提供する。【解決手段】「千歳飴」や「七五三」等の文字や絵柄面を、表面と裏面の両面に有した千歳飴用包装袋とする。【選択図】図１
0003220651.tif 000002
【実用新案登録請求の範囲】
【請求項１】
「千歳飴」や「七五三」等の文字や絵柄面を、表面と裏面の両面に有したことを特徴とする千歳飴用包装袋。
【考案の詳細な説明】
【技術分野】
【０００１】  本考案は、千歳飴用包装袋に関する。
【背景技術】
【０００２】  従来の千歳飴用包装袋は、「千歳飴」や「七五三」等の文字や絵柄面を有する表面と、表面に比べて簡素なデザインの裏面で構成されている。【０００３】  しかしながら、長い時間がかかる七五三詣において、小さい子供が千歳飴袋の表面を、人目に触れやすい方に向けたまま持ち続けるのは困難であるため、従来の千歳飴用包装袋を使用すると、七五三詣の情景を撮影する際に、簡素なデザインの裏面が写り込んでしまい、見映えが悪く、写真の質が落ちるという欠点があった。
【考案の概要】
【考案が解決しようとする課題】
【０００４】  本考案は以上のような従来の欠点に鑑み、人目に触れやすい方に表面と裏面のどちらの面が向いても、見映えに遜色がない千歳飴用包装袋を提供することを目的としている。
【課題を解決するための手段】
【０００５】  上記目的を達成するために、本考案は、「千歳飴」や「七五三」等の文字や絵柄面を、表面と裏面の両面に有した千歳飴用包装袋とする。
【考案の効果】
【０００６】  以上の説明から明らかなように、本考案にあたっては、「千歳飴」や「七五三」等の文字や絵柄面を、表面と裏面の両面に有した千歳飴用包装袋としているので、人目に触れやすい方に、表面と裏面のどちらの面が向いても、見映えに遜色がない。
したがって、子供の千歳飴袋の持ち方によって、見映えが悪く、写真の質が落ちるという従来の欠点を改善することができる。
【図面の簡単な説明】
【０００７】
【図１】本考案を実施するための千歳飴用包装袋の展開図である。
【図１】
0003220651.tif 000003
(57)【要約】      （修正有）【課題】使い捨て形式の傷がつかず衛生的に利用できるまな板を提供する。【解決手段】まな板は、磁性の無い本体ベース板Ａを備え、四隅等がマグネット埋め込みの為に凹んでいるか、又は四隅等に既にマグネットＣが埋め込まれ、包丁で切っても簡単には切れない耐切断性があり、丈夫でかつ、衛生的で食品用に使え、１枚ずつめくって捨てれる多重層防水シートＢを表面に有する。多重層シートは、まな板本体からずれない様に、マグネットＣと対になるマグネットＤにより挟み込まれている。また、調理時に磁力により包丁が引き寄せられて使いずらくならないように磁性を抑制する目的で、マグネットＤの上部に非磁性カバーＥを設ける。【選択図】図１
0003220652.tif 000002
【実用新案登録請求の範囲】
【請求項１】
磁性の無いまな板本体ベース板で四隅等がマグネット埋め込みの為に凹んでいる板状のものか四隅等に既にまな板本体内部にマグネットが埋め込まれている非磁性の板。
【請求項２】
包丁で切っても簡単には切れない耐切断性があり、丈夫でかつ、衛生的で食品用に使え、１枚ずつめくって捨てれる多重層防水シート。
【請求項３】
請求項１のまな板本体が凹んでいる箇所か、あるいは請求項１のまな板本体内部に埋め込むマグネット。
【請求項４】
請求項２の多重層シートが本体からずれない様に固定し、請求項３のマグネットと対になってマグネットとして請求項２の多重層シートを挟み込むマグネット。
【請求項５】
請求項４のマグネットによって、調理時などに磁石の性質により金属の包丁が無駄に引き寄せられて使いずらくならない為に磁性を抑制する非磁性カバー。
【考案の詳細な説明】
【技術分野】
【０００１】
本考案は、キッチン用品「まな板」に包丁などでも切れにくい耐切断性のある防水シートを多重層に載せ、本体に埋め込んだマグネットでシートを挟み込み、使い捨て形式で衛生的に利用できるまな板に関するものである。
【背景技術】
【０００２】
まな板は従来、毎回中性洗剤などで水やお湯で流しながら洗い、カビなどが生えた場合は漂白剤にて漂白殺菌するというスタイルを採っていたが、面倒で洗い残しと汚れが残りやすく、黄ばんで不衛生、定期的に漂白しないといけない手間と時間がかかるなどの弱点があった。
【考案の概要】
【考案が解決しようとする課題】
【０００３】
解決しようとする課題は、主にこれまでまな板に残りやすかった雑菌や病原菌の拡散防止、およびまな板洗浄の手間と時間を省き、洗剤代や水代、漂白剤代等を節約し、水環境に優しくすること、そして、人体にその気体と液状のものが有害である漂白剤の使用を回避することと、調理時間の短縮、および衛生的に調理をする事である。
【課題を解決するための手段】
【０００４】
本考案は、まな板に衛生的かつマグネットで挟み込んで包丁でカットする際にずれない様に固定した食品用の耐切断性のある防水シートを複数枚、本体まな板上部に敷くことを最も主要な特徴とし、付属のマグネットを外すかシートを引っ張るなどして容易にシートを１枚ずつ引き出し捨てれる使い捨て式の新しい形式のまな板であることに特徴がある。
【考案の効果】
【０００５】
本考案のマグネットフィックスレイヤーカッティングボードは、シートは食品用の人体に無害の専用防水シートを使い、かつ、シートを使い捨て形式で食品をカットできるため非常に衛生的で、さらに、料理と片付けの時間を短縮でき、水資源と洗剤および漂白剤の節約・不使用、洗浄場が近くにない非常災害時やアウトドアキャンプなどの際にも利用しやすいという利点があり、また、使用時に肉と野菜を切り分けるその度にシートを変えることによって、食中毒などの病原菌の要因になりにくく、人体に有害な漂白剤をまな板にかけて消毒しなくて良いという利点もある。
【図面の簡単な説明】
【０００６】
【図１】図１は、マグネットフィックスレイヤーカッティングボードの仕様を説明した図面である。
【考案を実施するための形態】
【０００７】
まな板本体より、マグネットで挟み込んでいる多重層防水耐切断シートを１枚ずつ引き出すことで新しいシートを利用できる。
【産業上の利用可能性】
【０００８】
一般家庭はもちろん、飲食店や調理場、給食センターや食品工場、非常災害時やアウトドアキャンプなど様々な場所でも利用を積極的に推進できる製品である。
【符号の説明】
【０００９】
Ａ．四隅等にマグネットが埋め込まれている磁性の無いまな板本体ベース板
Ｂ．包丁で切っても簡単には切れない丈夫で耐切断性があり、かつ衛生的で人体に無害な食品用の多重層防水シート
Ｃ．Ａのまな板本体の四隅などが凹んでいる数カ所に埋め込んでシートがずれないように防止する磁性力をもつマグネット
Ｄ．Ｂのシートが本体からずれない様に固定し、Ｃと対になって使い、調理で包丁によるカットの際にシートが簡単にずれてしまうのを防止する磁性力を持つマグネット
Ｅ．Ｄのマグネットが包丁等の金属に反応して引き寄せられない様に磁性を抑制する為の非磁性カバー
【図１】
0003220652.tif 000003
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
磁性の無いまな板本体ベース板で四隅等がマグネット埋め込みの為に凹んでいる板状のものか四隅等に既にまな板本体内部にマグネットが埋め込まれている非磁性の板。
【請求項２】
包丁で切っても簡単には切れない耐切断性があり、丈夫でかつ、衛生的で食品用に使え、１枚ずつめくって捨てれる多重層防水シート。
【請求項３】
請求項１のまな板本体が凹んでいる箇所か、あるいは請求項１のまな板本体内部に埋め込むマグネット。
【請求項４】
請求項２の多重層シートがまな板本体からずれない様に固定し、請求項３のマグネットと対になってマグネットとして請求項２の多重層シートを挟み込むマグネット。
【請求項５】
請求項４のマグネットによって、調理時などに磁石の性質により金属の包丁が無駄に引き寄せられて使いずらくならない為に磁性を抑制する目的のもので、上から多重層シートを挟み込むマグネットに上部から付けられた非磁性カバー。
(57)【要約】      （修正有）【課題】亜鉛や亜鉛の化合物を混ぜることにより、抗菌、抗ウィルス性作用の効果を高める日用品または介護用品を提供する。【解決手段】食器２、玩具、トイレ用品、家具などの日用品、または、ベッド、歩行器、杖、松葉杖、車いすなどの介護用品であって、亜鉛や亜鉛の化合物を含浸またはコーティング１することにより、抗菌、殺菌作用の効果を高める。【選択図】図１
0003220639.tif 000002
【実用新案登録請求の範囲】
【請求項１】
亜鉛や亜鉛化合物を含浸またはコーティングした食器、玩具、トイレ用品、家具などの日用品。
【請求項２】
亜鉛や亜鉛化合物を含浸またはコーティングしたベッド、歩行器、杖、松葉杖、車いすなどの介護用品。
【考案の詳細な説明】
【技術分野】
【０００１】        本考案は、組成分である亜鉛または亜鉛化合物を、含浸又は塗布することによって、バクテリア、ウィルスを死滅させ、抗ウィルス効果をもたらす日用品や介護用品に関するものである。
【背景技術】
【０００２】        従来、光触媒と畜光材料を用いることで、抗菌、殺菌作用を有する材料や漆喰材料などが開発されている。
【先行技術文献】
【特許文献】
【０００３】
【特許文献１】特許公開２０１５−１２１０７８
【特許文献２】特許公開２０１１−０５６４６９
【考案の概要】
【考案が解決しようとする課題】
【０００４】        亜鉛や亜鉛化合物を家庭用品にコーティングすると、抗菌、殺菌作用を有するため、家庭や病院や高齢者介護施設における感染症の拡大を防止する。食器や玩具、便器、家具などの日用品や、ベッド、歩行器、杖、松葉杖、車いすなどの介護用品を安全な製品として提供する。
【課題を解決するための手段】
【０００５】        本考案は、陶器のうわぐすりの中に亜鉛や亜鉛化合物を混ぜる。【０００６】        本考案は、亜鉛や亜鉛化合物を木製家具やガラス製品にコーティングしたり、プラスチック製品の粗材に練り込む。
【考案の効果】
【０００７】        亜鉛や亜鉛化合物を陶器のうわぐすりに混ぜて塗布することによって、殺菌、抗ウィルス効果をもたせた商品にする。
【図面の簡単な説明】
【０００８】
【図１】亜鉛や亜鉛化合物をコーティングした食器の図。
【図２】亜鉛や亜鉛化合物をコーティングした玩具の図。
【図３】亜鉛や亜鉛化合物をコーティングした家具の図。
【図４】亜鉛や亜鉛化合物をコーティングした便器の図。
【図５】亜鉛や亜鉛化合物をコーティングした車いすの図。
【考案を実施するための形態】
【０００９】        図１〜図５に、本考案の実施形態を例示する。
図１は、亜鉛や亜鉛化合物をコーティングしたガラス食器や粗材である土や砂に成形前に予め混入しておいた陶器類。
図２は、亜鉛や亜鉛化合物をコーティングした玩具。
図３は、亜鉛や亜鉛化合物をコーティングした家具などの木製品。
図４は、亜鉛や亜鉛化合物をコーティングした便器やトイレ用品。
図５は、亜鉛や亜鉛化合物をコーティングした車いすなどの介護用品。
いずれも、亜鉛や亜鉛化合物を含浸またはコーティングすることによって、抗菌、抗ウィルス効果が期待できる。
【符号の説明】
【００１０】１  コーティング
２  食器
３  玩具
４  家具
５  便器
６  車いす
【図１】
0003220639.tif 000003
【図２】
0003220639.tif 000004
【図３】
0003220639.tif 000005
【図４】
0003220639.tif 000006
【図５】
0003220639.tif 000007
【手続補正書】
【提出日】平成30年12月21日(2018.12.21)
【手続補正１】
【補正対象書類名】実用新案登録請求の範囲
【補正対象項目名】全文
【補正方法】変更
【補正の内容】
【実用新案登録請求の範囲】
【請求項１】
亜鉛や亜鉛化合物を食器や玩具、便器、家具のいずれかに、含浸またはコーティングした表面をもち、抗菌、抗ウィルス性を特徴とする日用品。
【請求項２】
亜鉛や亜鉛化合物をベッド、歩行器、杖、車いすのいずれかに、含浸またはコーティングした表面をもち、抗菌、抗ウィルス性を特徴とする介護用品。
(57)【要約】      （修正有）【課題】垂直方向の観察を可能にした横倒し顕微鏡を提供する。【解決手段】厚さ１５ｍｍのアルミ板２枚を垂直にねじで固定し基本架台を作成する。基本架台の水平部分に冶具（１カ所）を取り付け、顕微鏡ステージ部分を垂直に置き、基本架台の垂直部分に冶具（２カ所）を取り付けて顕微鏡底面を基本架台に固定する。顕微鏡ステージ部分をねじで固定して市販の顕微鏡を９０度傾けて設置できる架台を作成して垂直方向の観察を可能とした。【選択図】図１
0003220638.tif 000002
【実用新案登録請求の範囲】
【請求項１】
厚さ１５ｍｍのアルミ板２枚を垂直にねじで固定し基本架台を作成する。基本架台の水平部分に冶具（１カ所）を取り付け、顕微鏡ステージ部分を垂直に置き、基本架台の垂直部分に冶具（２カ所）を取り付けて顕微鏡底面を基本架台に固定する。顕微鏡ステージ部分をねじで固定して市販の顕微鏡を９０度傾けて設置できる架台を作成して垂直方向の観察を可能とした横倒し顕微鏡。
【考案の詳細な説明】
【技術分野】
【０００１】  本考案は、垂直方向の観察を可能にする横倒し顕微鏡に関するものである。
【背景技術】
【０００２】  従来、市販の顕微鏡ステージは水平であり、このままでは垂直方向の観察ができないという問題がある。
【考案の概要】
【考案が解決しようとする課題】
【０００３】  市販の顕微鏡は試料を観察する時に正立顕微鏡や倒立顕微鏡を使用するが、試料を設置する顕微鏡のステージは水平なため、水平面での観察しかできない。試料に対する重力の影響や垂直方向の運動などを観察する場合、顕微鏡のステージを垂直にする必要がある。従って、顕微鏡ステージを垂直にするための課題を作成し、市販の顕微鏡を９０度傾けてこの問題を解決しようというものである。
【課題を解決するための手段】
【０００４】  本考案は、厚さ１５ｍｍのアルミ板２枚を垂直にねじで固定し基本架台を作成する。基本架台の水平部分に冶具（１カ所）を取り付け、顕微鏡ステージ部分を垂直に置き、基本架台の垂直部分に冶具（２カ所）を取り付け、顕微鏡ステージ部分をねじで固定して市販の倒立顕微鏡を９０度傾けて設置した。これらにより問題点を解決している。
【考案の効果】
【０００５】  本考案によって、市販の顕微鏡を利用して垂直方向の観察化が可能である。
【図面の簡単な説明】
【図１】本考案の横倒し顕微鏡の配置図および架台の構造を示す図である。
【図２】本考案の横倒し顕微鏡の架台の展開図である。
【考案を実施するための形態】
【０００６】  厚さ１５ｍｍのアルミ板を垂直にねじで固定して基本架台を作成し、水平部分に顕微鏡ステージ部分を置く冶具（１カ所）を取り付け、垂直部分に顕微鏡ステージ部分をねじで固定するための冶具（２カ所）を取り付け、市販の顕微鏡を９０度傾けて設置する。
【実施例】
【０００７】  以下、添付図面に従って実施例を説明する。９０度傾けた顕微鏡ステージにシャーレやスライドガラスをテープで固定し、試料を垂直方向での観察を行う。
【図１】
0003220638.tif 000003
【図２】
0003220638.tif 000004
【手続補正書】
【提出日】平成30年11月13日(2018.11.13)
【手続補正１】
【補正対象書類名】実用新案登録請求の範囲
【補正対象項目名】全文
【補正方法】変更
【補正の内容】
【実用新案登録請求の範囲】
【請求項１】
厚さ１５ｍｍのアルミ板２枚を垂直にねじで固定した基本架台を作成し、基本架台の水平部分１カ所に冶具を取り付けて顕微鏡ステージ部分を垂直に置き、基本架台の垂直部分２カ所に冶具を取り付けて顕微鏡底面を取り付け、顕微鏡ステージ部分をねじで固定して市販の顕微鏡を９０度傾けて設置できる架台を製作して垂直方向の観察を可能とした横倒し顕微鏡。
(57)【要約】      （修正有）【課題】ワンタッチでドジョウを真直ぐ固定でき、ずれにくいタチウオテンヤシザースを提供する。【解決手段】タチウオテンヤシザースは、２本の前傾した鈎２と、２本の前傾した鈎の間に挿入可能に回転支持され、上部より挟み込む鈎１と、後方斜め上に伸びた鈎４と、を備える。２本の鈎と上からの鈎でドジョウの頭部を挟み込み、後ろの斜め上に伸びた鈎で真直ぐそしてうきあがらないようドジョウを固定する。【選択図】図１
0003220637.tif 000002
【実用新案登録請求の範囲】
【請求項１】
ドジョウを通常ワイヤー等で巻いてテンヤに固定するが、金属の露出を極力無くしタチウオのバイト（噛みつき）時違和感をなくし食いつきをよくする、そのためめ2本の前傾した鈎と上部の鈎でドジョウをテンヤの固定し、後ろの斜め上に伸びた鈎にて胴体部分を浮き上がり内容支える、また簡単に固定することで短時間でセットアップが可能になる。
【考案の詳細な説明】
【背景技術】
【０００１】
タチウオを釣るにあたり、夕まず目の地合が過ぎたころ、いかにタチウオにアピールできるか問題であった。
ハードルアー、ソフトルアーでもなくドジョウを従来のテンヤにワイヤーで固定するよりも簡単にジグにセットでき
自然な形でスイミング状態をアピールするとともに、バイト時違和感なく時間を長くできる。為釣果につながる
【考案の概要】
【考案が解決しようとする課題】
【０００２】
タチウオテンヤにドジョウを固定するため従来ワイヤーでグルグル巻きにて固定していたが、時間がかかる上、ドジョウが
きれいに真直ぐ固定でしにくく、ワイヤー部にバイトがあれば違和感ありショートバイトに終わる
そのためこのタチウオシザースを使用すれば、ワンタッチで真直ぐ固定でき、どの部分にバイトしても違和感なくバイト時間をかせげる。
また、ドジョウの硬い頭部分をガッチリ固定し胴体部は1本に斜め針で支え力のかかる方向合わせて固定しているためずれにくい。
【考案の効果】
【０００３】
夕まず目、または朝まず目の地合終了後、活性の低いタチウオに対して釣果上げる
1.軽いジグにてスローシンギング、デットスローでじっくり見せられる。
2.フォーリング、スイミングが自然な形でアピールできる。
3.バイト時間をドジョウ自然な形セットすることをでより長くできる
4.夜釣りの暗い時でもセットアップに手間がかからない
５．軽いがロングキャストもスムーズ。
【図面の簡単な説明】
【０００４】
【図１】1.2本の鈎にてはさみドジョウの胴体保持し2本の鈎の間に挟み込む  2.2本のやや前傾した鈎にてドジョウの頭部を保持し、バイトじこの前傾鈎にてはずれを防止する  3.上部の鈎を下部の2本の前傾した鈎のてドジョウまたはワーム等えお挟む  4.斜めうえに伸びた鈎にてドジョウを真直ぐ支え、上部に外れるのを抑える
【図２】1.2本の前傾した鈎  2.上部より挟み込む鈎  3.斜めうえに伸びた鈎  4.上部の鈎の外れ防止クリップ
【図３】1.上部から挟み込む鈎  2.2本の鈎にて硬い頭部を固定  3.バイト時違和感なくドジョウを固定  4.下部の鈎でドジョウの浮き上がりを抑え、真直ぐ固定  5.メインフック  6.遊びのないアシストフック
【実施例】
【０００５】
タチウオテンヤ：タチウオシザースにドジョウを固定し、ルアー仕掛け同様に釣りの仕掛けとして用いる
【図１】
0003220637.tif 000003
【図２】
0003220637.tif 000004
【図３】
0003220637.tif 000005
【手続補正書】
【提出日】平成30年11月13日(2018.11.13)
【手続補正１】
【補正対象書類名】実用新案登録請求の範囲
【補正対象項目名】全文
【補正方法】変更
【補正の内容】
【実用新案登録請求の範囲】
【請求項１】
2本の前傾した鈎と、前記２本の前傾した鈎の間に挿入可能に回転支持され、上部より挟み込む鈎と、後方斜め上に伸びた鈎と、を備えることを特徴とするタチウオテンヤ、タチウオシザース。
【手続補正書】
【提出日】平成31年1月18日(2019.1.18)
【手続補正１】
【補正対象書類名】実用新案登録請求の範囲
【補正対象項目名】全文
【補正方法】変更
【補正の内容】
【実用新案登録請求の範囲】
【請求項１】
2本の前傾した鈎と、前記２本の前傾した鈎の間に挿入可能に回転支持され、上部より挟み込む鈎と、後方斜め上に伸びた鈎と、を備えることを特徴とするタチウオテンヤシザース。
(57)【要約】      （修正有）【課題】葬儀弔問者の故人に対する「想い」を満たすことができる副葬品を提供する。【解決手段】可燃性の板の表面にお地蔵様はじめ神式・仏式各種宗教に対応した肖像と故人が生前好んでいた物や身に付けていた装飾品等をイラストにして表現し、裏面には親族や弔問者、いわゆる送り手の想いをメッセージとしてしたためることができる欄を設ける。【選択図】図３
0003220666.tif 000002
【実用新案登録請求の範囲】
【請求項１】
お地蔵様や神式・仏式各種宗教に対応した肖像と故人が生前好んだ趣味や食べ物、メガネやネックレス等身に付けていたもの、お酒や煙草といった嗜好品等々のイラストを表面に表現し、裏面には弔問者が各々メッセージを記載することのできる欄を設けたことを特徴とする板状の副葬品。
【請求項２】
火葬できる（棺に入れることができる）条件を満たす材質で作られたことを特徴とする請求項１記載の板状副葬品。
【考案の詳細な説明】
【技術分野】
【０００１】  本考案は、葬儀弔問者の故人に対する「想い」を満たすための副葬品を提供する。
【背景技術】
【０００２】  わが国では葬儀において、棺に生花や故人が好んでいた品物を副葬品として入れる習慣がある。【０００３】  しかし、火葬を前提とする我が国の弔い方法では棺に入れる物品（副葬品）に制限がある。【０００４】  完全燃焼が難しい・有毒ガスが出る・炉内で爆発する危険がある等々の理由から、金属やプラスチック製品・缶詰・ペースメーカーなどの電子機器等々の物品は棺に入れることを禁止されているというのが現状である。
【先行技術文献】
【特許文献】
【０００５】
【特許文献１】登録実用新案第３０８４５０８号
【特許文献２】登録実用新案第３０３３２７６号
【考案の概要】
【考案が解決しようとする課題】
【０００６】  故人に対する溢れる「想い」を副葬品に込め見送りたい、という近親者や弔問者の気持ちを満足させるための物品は先の文献に挙げた考案のとおり各種見受けられる。【０００７】  しかし登録実用新案第３０８４５０８号は故人の嗜好品を厚紙に印刷したもので生活色が強く、登録実用新案第３０３３２７６号は観音像等のレリーフに短冊を入れるとしており宗教色が強い。
これらは宗教色と生活色を兼ね備えているとは言い難い。
【課題を解決するための手段】
【０００８】  可燃性の板の表面にお地蔵様はじめ神式・仏式各種宗教に対応した肖像と故人が生前好んでいた物や身に付けていた装飾品等をイラストにして表現し、裏面には親族や弔問者、いわゆる送り手の想いをメッセージとしてしたためることができるようにする。【０００９】  すなわち、宗教的イラストと食べ物・嗜好品・着用品のイラストを表した表面とメッセージ欄を設けた裏面を有する。
【考案の効果】
【００１０】  当該副葬品は棺に納めた際、裏面メッセージが故人側、表面お地蔵様はじめ神式・仏式各種宗教に対応した肖像と嗜好物を記載したイラストが弔問者側になる。
各々がしたためたメッセージが故人と密着していることから「伝えたい想い」が直接伝えられたという満足感が得られる。
天国、極楽浄土への旅の間故人様がお地蔵様、神様に、お供して頂き趣味のゴルフ、お花作りなどしながら寂しくなく旅立って頂きたいという思いが満たされる。【００１１】  また、お地蔵様はじめ神式・仏式各種宗教に対応した肖像が参列者側に見えるよう納められるため、あたかもお地蔵様はじめ神式・仏式各種宗教に対応した肖像が故人の嗜好物を持って彼岸へ同行しているかのような印象を与え弔問者に安心感をもたらす。
【図面の簡単な説明】
【００１２】
【図１】  副葬品の表面の一例を示す。図面は「お地蔵様と花」であるが、宗派や故人の嗜好によりイラスト内容は異なる。
【図２】  副葬品の裏面の一例を示す。
【図３】  副葬品の表面斜視図でありその構造を示す。
【図４】  副葬品の裏面斜視図でありその構図を示す。
【考案を実施するための形態】
【００１３】  縦１０ｃｍ〜１８ｃｍ、横６ｃｍ〜１２ｃｍ、厚さ０．３ｃｍ〜１．５ｃｍの可燃性板の表面と裏面に紙を貼り、表面にはお地蔵様はじめ各種宗教にちなんだ肖像と依頼主（喪主等）からの要望に応じて生前好んでいたものをイラストとして記載する。
裏面にはメッセージが記載できるよう縁取りを施した欄を設ける。
【００１４】  当該副葬品の材質は火葬に供されるということが前提であるため木材や紙など各自治体で認められているものを材料とする。
【００１５】  また、裏面はメッセージを書き込むためインクが滲んだりかすれたりしないよう加工を施す。
【実施例】
【００１６】  以下、図面に従って一実施例を説明する。
１は当副葬品の土台となる部分であり、木材や厚紙を使用する。
２は当副葬品の表面であり、依頼主（喪主等）の属する宗教に応じ肖像を入れかつ故人が生前嗜好した物をイラストで表現する。
３は当副葬品の裏面であり、親族や弔問者が故人に対するメッセージを記入する欄である。
【符号の説明】
【００１６】１  副葬品表面
２  副葬品裏面
３  副葬品土台
【図１】
0003220666.tif 000003
【図２】
0003220666.tif 000004
【図３】
0003220666.tif 000005
【図４】
0003220666.tif 000006
(57)【要約】      （修正有）【課題】揚水力を向上させ、沈殿堆積物も浮揚させることができるエアーリフトポンプを提供する。【解決手段】本体部を外管である送気管１と内管である揚水管２−ａ、２−ｂの二重管としたエアーリフトポンプであり、送気管１と揚水管２−ａ、２−ｂの隙間に圧縮空気を導入し、同心円上に２〜８個の口径５〜１５ｍｍの穴２１を揚水管２−ｂ下端にある吸い込み口から５０〜１００ｍｍの位置に開け、穴２１から圧縮空気を噴射させて、揚水管２−ａ、２−ｂ内に水を揚水させることで揚水力は向上し、さらには吸込み口に撹拌翼１４を取り付けることで、沈殿堆積物も浮揚させることができる。【選択図】図１
0003220664.tif 000002
【実用新案登録請求の範囲】
【請求項１】
本体部を外管である送気管１と内管である揚水管２のニ重管としたエアーリフトポンプであり、送気管と揚水管の隙間に圧縮空気を導入し、２〜８個の口径５〜１５ｍｍの穴を揚水管下端にある吸い込み口から５０〜１００ｍｍの位置に同心円上に開け、前記穴から前記圧縮空気を噴射させて、揚水管内に水を揚水させるエアーリフトポンプ。
【請求項２】
エアーリフトポンプの吸い込み口先端に送気管と一体に回転する攪拌翼を設けたことを特徴とする請求項１に記載のエアーリフトポンプ。
【考案の詳細な説明】
【技術分野】
【０００１】  本考案は、二重管の本体の隙間に圧縮空気を送り込み、それを下方部から噴射することで水を揚水するエアーリフトポンプに関するものである。
【背景技術】
【０００１】  従来のエアーリフトポンプでは、図９に示すように揚水管と送気管が別々に装置されていた。すなわち、別途の送気管を揚水管の下方部に接続し送気していた。
【考案の概要】
【考案が解決しようとする課題】
【０００２】  従来のエアーリフトポンプは複雑で大形なため、取り扱い難さがあった。また、沈殿堆積物の浮揚、吸上げは揚水管の先端部への送気による水のみかけ比重軽減と地下水圧によっていた。
【課題を解決するための手段】
【０００３】    本考案によるエアーリフトポンプの効果は、従来の図９に示すようなエアーリフトポンプに比べて、揚水量の向上が期待できる。即ち、
１．従来のエアーリフトポンプは揚水の速度分布２７が揚水管の中心付近に集中している  が、本考案のポンプの揚水速度分布が揚水管の壁面沿って平均に分布しているので、管径、空気量、揚水高さの条件で比較した場合、揚水量は増加している。
２．また、揚水管への送気による吸上げ力に加え、送気管の先端に攪拌翼１４を取り付け、送気管と共に回転することにより、底部の沈砂や堆積物を攪拌、収集して揚水する。【０００４】  前記１に２を加えると、従来のエアーリフトポンプに比べて、揚水量の増加、砂礫や汚泥類を揚水する。下水処理場、養殖場、ダム湖、沼、各種貯水池、井戸等の水の浄化、更にエアーバブルによる水中の酸素付加の相乗効果が期待できる。
【考案の効果】
【０００５】  下水処理場、養殖場、ダム湖、沼、各種貯水池、井戸等の水の浄化、更にエアーバブルによる水中の酸素付加の効果がある。
【図面の簡単な説明】
【０００６】
【図１】  本考案の実施例を示す手動回転式エアーリフトポンプの全体断面図である。
【図２】  図１中のＸ−Ｘ’周辺拡大図である。
【図３】  図１の底面図である。
【図４】  上部揚水管と送気管部の空気圧シール構造を示す
【図５】  図５中のＡ円内の拡大図である。
【図６】  下部揚水管と送気管の空気圧シール構造及び攪拌翼の取付け構造を示す断面図である。
【図７】  図６中のＢ円内の拡大図である。
【図８】  本考案の実施例を示す手動回転式エアーリフトポンプの全体断面図である。
【図９】  従来のエアーリフトポンプの原理図である。
【考案を実施するための形態】
【０００７】  図１に示すように本考案は外側の送気管２と内測の揚水管１からなる二重管構造で、軸受ハウジング３と軸受カバー４の図１に示すＸ−Ｘ’線の接合部を起点にし、上方は固定の吸気・排水管部であり、下方は揚水管１への空気の噴射・回転操作部である。Ｘ−Ｘ’線より上方の送気管２−ｂに取付けられた空気圧継手１１はコンプレッサーからの圧縮空気を揚水管１に送気するための空気圧の導入口である。以上の構造により空気圧継手１１より導入された空気は、送気管２−ａと揚水管１の隙間から揚水管の下端から５０〜１００ｍｍ間に開けられ２〜８個の５〜１５ｍｍの穴から揚水管内に噴射される。
【０００８】  また、図２に示すように送気管２−ａには、スラスト軸受６、ベアリング抑え５及び受動ギヤ７が接続されており、更に主動ギヤ８と噛みあっており、その操作ハンドル９の操作により回転するようになっている。
【０００９】  尚、送気管及び攪拌翼回転操作は、手動操作の場合は歯車やベルトプーリ、自動操作の場合には減速歯車電動機やラック・アンド・ピニオン付空気圧シリンダを任意に選択  できる。
【００１０】    一方、Ｘ−Ｘ’線より上方の送気管２−ｂは下方側と分離され固定管として上方の排出管接手１５へ連結されている。そして送気管２−ｂの先端には図４に示すように送気管と揚水管のすき間からの空気が外部に漏れ出ないようにＯリング付き漏れ止具１０が取り付けられている。尚、送気管の分離部分から空気が外部へ漏れることを防止するために軸受けハウジン３と軸受けカバー４の接合部にはＯリング１２が装着されている。同様に下方の送気管２の先端部にも図６に示すように，空気が漏れないようにＯリング付き漏れ止め具１３が装着され、揚水管と一体で回転するようになっている。また送気管２−ｂの先端には攪拌翼１４取り付けられ、送気管と共に回転し地下に堆積した砂利や汚泥などを攪拌，浮揚させ排出を容易にしている。
【符号の説明】
【００１１】１      揚水管
２−ａ  上部送気管
２−ｂ  下部送気管
３      軸受ハウジング
４      軸受カバー
５      ベアリング抑え
６      スラスト軸受
７      受動ギヤ
８      手動ギヤ
９      ハンドル
１０    上部Ｏリング付漏れ止め具
１１    空気圧継手
１２    軸受カバー用Ｏリング
１３    下部Ｏリング付漏れ止め具
１４    攪拌翼
１５    排出管継手
１６    送気管継手
１７    歯車止めねじ
１８    ハンドル軸受け
１９    ベアリング部Ｏリング
２０    ハンドル軸
２１    圧縮空気噴射口
２２    上部排出管Ｏリング
２３    下部送気管Ｏリング
２４    導入エアー
２５    エアー吹き込み口
２６    気泡
２７    速度分布
２８    圧縮空気通り道
【図１】
0003220664.tif 000003
【図２】
0003220664.tif 000004
【図３】
0003220664.tif 000005
【図４】
0003220664.tif 000006
【図５】
0003220664.tif 000007
【図６】
0003220664.tif 000008
【図７】
0003220664.tif 000009
【図８】
0003220664.tif 000010
【図９】
0003220664.tif 000011
(57)【要約】      （修正有）【課題】使用時にカップまでの正確な方向性を格段に高めることが可能となり、ボールの一点とパターの一点（芯）とのインパクト時のコンタクトが正確に出来るゴルフパターを提供する。【解決手段】卵型をした球形状のパター面を有するゴルフパターである。人間の感性として球形状の一点に集中することは容易に可能なこととされる。その結果としてカップへの方向性が一段と良くなり、また接点面が球形状のゆえにボールに順回転が自然とかかり、直進性が高まりカップまでの距離が適正に改善される。【選択図】図２
0003220645.tif 000002
【実用新案登録請求の範囲】
【請求項１】
ゴルフのスコアメイクの決め手はパットの確率といわれる。このパターの入る確率を格段に良くなるパターを考案した。ポイントはパターでゴルフボールを打つ時の方向性が良くなるように集中力が自然と高まる構造を有する形状を特徴とする「エッグパター」。
【考案の詳細な説明】
【考案の詳細な説明】
この考案は、卵型をした球形状のパターヘッドを使うことで、より高いインパクトの集中力が期待できる。パターでの一番大切なことはボールに対してパターヘッドを打ち出す方向に正確に対応してインパクトが出来ているか否かである。「引っかけ」や「プッシュアウト」などショートパットの場合はいろんなミスヒットが起きている現状にある。この時の多くの原因はパターヘッドがインパクト時にヘッドの方向性がぶれることである。通常のパター面は直線的・平面的でありボールに対してすべての面が均等の角度で接する事となる。このことは逆にボールの一点をパターの芯で打つ為の集中力を弱めることになる。
本来ボール対してヒットするパター面は一点（芯）であり、それが平面的なパターであろうと球形状のパターであっても同じ理論となる。従って、通常平面的でヒットポイントを多く持つパターヘッドは往々にしてアバウトなインパクトになってしまう傾向がある。よって、ボール面の一点と球形状のパター面のある一点とのインパクトが要求されれば自然と集中力が高まってくることが期待出来る事となる。多面的な点を有する通常のパターに対してほぼ一点に集中せざる得ない球形状のパター面の方が精神的集中力が必然的に高くなるものと推察出来る。グリーン上の１，５ｍから２ｍ程度のシュートパットの入る確率はプロでも三割程度で、アマチュアのアベレージゴルファーにとってもスコアメイクの為にも大きな課題である。その確率を上げるために開発した球形状の卵型パターヘッドは唯一点のヒットポイントに集中出来ることが自然と高まる新しいゴルフパターである。  以上の構造等を図面によって説明を行う。
【図面の簡単な説明】
【図１】本考案のエッグパター（真上からと正面水平より）
【図２】エッグパターにボールをセットした状態
【図３】通常パターの特徴
【符号の説明】１・・・・曲線的
２・・・・限定的な接点（ピンポイント）
３・・・・直線的
４・・・・平面的（多数のヒットポイント）
【図１】
0003220645.tif 000003
【図２】
0003220645.tif 000004
【図３】
0003220645.tif 000005
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
ゴルフのスコアメイクの決め手はパットの確率といわれ、そのポイントはパターでゴルフボールを打つ時の方向性が良くなるように集中力が自然と高まる構造が求められ、その為にパターヘッドの形状をインパクト時に必然的に一点に集中出来る事を可能とした球形状のパター面を有する形状を特徴とする「エッグパター」を考案した。